(57)【要約】      （修正有）【課題】蓋開閉機構全体を大型化することなく且つ部品を削減すると共に省スペースを実現することを可能とした蓋開閉装置及び蓋開閉装置を備える電子機器を提供する。【解決手段】蓋開閉装置の蓋体２は、軸部２１、２２の軸方向の延長線上に設けられたカム部を備える。付勢部材３、４は、蓋体２の軸部２１、２２を回転可能に保持する軸受け部３ａ、４ａを備える。また、付勢部材３、４は、蓋体２を閉じる操作に対しては蓋体２が開位置となるようにカム部を付勢し、蓋体２を開く操作に対しては蓋体２が閉位置となるようにカム部を付勢する付勢部を備える。蓋体２の軸部２１、２２は、本体カバー１の隣接する２つの面と付勢部材３、４の軸受け部３ａ、４ａの隣接する２つの面とによって回転可能な状態で保持される。【選択図】図１
2013125171.tif 000002
【特許請求の範囲】
【請求項１】
筐体と、軸部が一体に形成されると共に前記軸部を中心とした回転により前記筐体に対して開閉が可能な蓋体と、前記蓋体を付勢する付勢部材とを備える蓋開閉装置であって、
前記蓋体は、前記軸部の軸方向の延長線上に設けられたカム部を備え、
前記付勢部材は、前記蓋体を閉じる操作に対しては前記蓋体が開位置となるように前記蓋体の前記カム部を付勢し、前記蓋体を開く操作に対しては前記蓋体が閉位置となるように前記蓋体の前記カム部を付勢する付勢部と、前記蓋体の前記軸部を回転可能に保持する軸受け部とを備え、
前記筐体には、隣接する２つの面が設けられると共に、前記付勢部材の前記軸受け部には、前記筐体の前記隣接する２つの面に対向する隣接する２つの面が設けられ、
前記蓋体の前記軸部は、前記筐体の前記隣接する２つの面と前記付勢部材の前記軸受け部の前記隣接する２つの面とによって回転可能な状態で保持されることを特徴とする蓋開閉装置。
【請求項２】
前記付勢部材の前記付勢部と前記軸受け部とは、つながった状態に形成され、
前記付勢部材は、前記付勢部と前記軸受け部とをつなぐ範囲の中の箇所で前記筐体に固定されることを特徴とする請求項１に記載の蓋開閉装置。
【請求項３】
前記筐体には、前記蓋体の前記軸部と前記カム部の通過が可能な孔が形成され、
前記蓋体は、前記筐体の外観側から前記筐体の前記孔に前記蓋体の前記軸部と前記カム部が通されることで前記筐体に組み込まれることを特徴とする請求項１に記載の蓋開閉装置。
【請求項４】
前記付勢部材は、前記筐体の前記孔を覆う形状を有することを特徴とする請求項３に記載の蓋開閉装置。
【請求項５】
前記筐体は、前記蓋体を開く側の端部に当接する開位置当接部と、前記蓋体を閉じる側の端部に当接する閉位置当接部とを備え、
前記蓋体の開位置は、前記筐体の前記開位置当接部によって規制され、前記蓋体の閉位置は、前記筐体の前記閉位置当接部によって規制されることを特徴とする請求項１または３に記載の蓋開閉装置。
【請求項６】
前記蓋体の前記軸部は、前記蓋体における前記筐体に対する取付部分の軸方向の両端部にそれぞれ設けられ、
前記蓋体の前記両端部に設けられた前記軸部の間における前記筐体の内部に、部品が配置されることを特徴とする請求項１に記載の蓋開閉装置。
【請求項７】
前記付勢部材は、可撓性を有する板金からなる板ばね部材から形成されていることを特徴とする請求項１、２、４のいずれか１項に記載の蓋開閉装置。
【請求項８】
請求項１乃至７のいずれか１項に記載の蓋開閉装置を備えることを特徴とする電子機器。
【請求項９】
請求項１乃至７のいずれか１項に記載の蓋開閉装置を備えることを特徴とする撮像装置。
【発明の詳細な説明】
【技術分野】
【０００１】
本発明は、筐体に対して蓋体が軸部を中心に回転することで蓋体の開閉を可能とする蓋開閉装置、蓋開閉装置を備える電子機器、及び撮像装置に関する。
【背景技術】
【０００２】
従来、蓋体が回転軸を中心に回転することで蓋体の開閉を可能とする蓋開閉機構がある（例えば、特許文献１参照）。この種の蓋開閉機構は、蓋体、回転軸、付勢部材、軸受け部材を含む筐体、回転軸脱落防止部材から構成されており、部品点数が多いという問題があった。この問題に対し、回転軸脱落防止部材を廃止して部品点数を少なくし、付勢部材によって回転軸の脱落を防止するという方法がある（例えば、特許文献２参照）。以下、特許文献２記載の技術について図８、図９ａ、図９ｂを用いて説明する。
【０００３】
図８（ａ）は、従来例に係る電子機器の蓋開閉機構の蓋体の斜視図、図８（ｂ）は、本体カバーを内側から見た図である。図９ａ（ａ）は、従来例に係る電子機器の蓋開閉機構の蓋体を本体カバーに組み付ける様子を示す斜視図、図９ａ（ｂ）は、蓋開閉機構の斜視図である。図９ｂ（ｃ）は、図９ａ（ｂ）の矢視イ−イ線に沿う断面図である。
【０００４】
図８（ａ）において、電子機器の蓋体１１０には、回転軸１１１が取り付けられており、回転軸１１１の両端部が蓋体１１０の両側面から突出している。また、蓋体１１０には、指掛け部１１２とカム部１１３が設けられている。
【０００５】
図８（ｂ）において、本体カバー１３０には、蓋体１１０の軸受け部１３１が設けられている。また、本体カバー１３０には、板ばね部材１２０（図９ａ（ｂ）参照）の受け部１３２、蓋体１１０を挿入する孔１３３（斜線部分）、板ばね部材１２０の固定部１３４が設けられている。
【０００６】
図９ａ（ａ）に示すように、蓋体１１０は、本体カバー１３０の内側から指掛け部１１２（図８（ａ））を先頭にして本体カバー１３０の孔１３３に矢印λ方向から挿入される。蓋体１１０は、蓋体１１０の回転軸１１１が本体カバー１３０の軸受け部１３１に当接して本体カバー１３０に保持される。図９ｂ（ｃ）に示すように、軸受け部１３１は、回転軸１１１を囲むように３辺（３つの面）を備えている。
【０００７】
図９ａ（ｂ）に示すように、板ばね部材１２０の下部は本体カバー１３０の固定部１３４にネジ１４０で固定され、板ばね部材１２０の上部１２２は紙面奥行き方向に移動可能となったまま、受け部１３２によって、その移動量を規制されている。また、図９ｂ（ｃ）に示すように、蓋体１１０のカム部１１３は板ばね部材１２０によって常に付勢されているため、回転軸１１１が軸受け部１３１から脱落することはない。これにより、回転軸脱落防止部材を削減することが可能となる。
【０００８】
図１０は、図９ａ（ｂ）の矢視ロ−ロ線に沿う断面図である。
【０００９】
図１０において、蓋開閉機構の蓋体１１０が開位置にある状態での、本体カバー１３０と蓋体１１０の関係を示している。本体カバー１３０には、蓋体１１０が通る大きさを有する孔１３３が設けられている。
【先行技術文献】
【特許文献】
【００１０】
【特許文献１】特許第４００３１６８号
【特許文献２】特開２０１１−９０２３７号公報
【発明の概要】
【発明が解決しようとする課題】
【００１１】
図１０に示した従来例では、電子機器の蓋体１１０を本体カバー１３０の内側から組み込むために、蓋体１１０が通る大きさを有する孔１３３を本体カバー１３０に設けることが必要である。更に、蓋体１１０が開閉位置にある時に、本体カバー１３０の孔１３３から電子機器の内部が見えないようにしなければならない。
【００１２】
図１０に示した従来例では、蓋体１１０のカム部１１３を図示の長さＬで形成することで本体カバー１３０の孔１３３を塞いでいるため、蓋体１１０が大型化していた。更には、蓋体１１０のカム部１１３が回転する軌跡の範囲には何も配置することができず、蓋開閉機構全体が大型化してしまうという問題点があった。
【００１３】
本発明の目的は、蓋開閉機構全体を大型化することなく且つ部品を削減すると共に省スペースを実現することを可能とした蓋開閉装置、蓋開閉装置を備える電子機器、及び撮像装置を提供することである。
【課題を解決するための手段】
【００１４】
上記目的を達成するために、本発明は、筐体と、軸部が一体に形成されると共に前記軸部を中心とした回転により前記筐体に対して開閉が可能な蓋体と、前記蓋体を付勢する付勢部材とを備える蓋開閉装置であって、前記蓋体は、前記軸部の軸方向の延長線上に設けられたカム部を備え、前記付勢部材は、前記蓋体を閉じる操作に対しては前記蓋体が開位置となるように前記蓋体の前記カム部を付勢し、前記蓋体を開く操作に対しては前記蓋体が閉位置となるように前記蓋体の前記カム部を付勢する付勢部と、前記蓋体の前記軸部を回転可能に保持する軸受け部とを備え、前記筐体には、隣接する２つの面が設けられると共に、前記付勢部材の前記軸受け部には、前記筐体の前記隣接する２つの面に対向する隣接する２つの面が設けられ、前記蓋体の前記軸部は、前記筐体の前記隣接する２つの面と前記付勢部材の前記軸受け部の前記隣接する２つの面とによって回転可能な状態で保持されることを特徴とする。
【発明の効果】
【００１５】
本発明によれば、付勢部材により、蓋体の軸部を回転可能に保持し、蓋体が開位置、閉位置となるように蓋体のカム部を付勢する。これにより、少ない部品で蓋体の保持と付勢などが可能となるため、蓋開閉装置全体を大型化することなく且つ部品を削減すると共に省スペースを実現することが可能となる。
【図面の簡単な説明】
【００１６】
【図１】本発明の実施の形態に係る電子機器の蓋開閉装置の構成を示す分解斜視図である。
【図２】（ａ）は、電子機器の蓋開閉装置の蓋体を示す斜視図、（ｂ）は、電子機器の本体カバーを内側から見た図である。
【図３】蓋開閉装置の蓋体を本体カバーに組み付けた後の状態を本体カバーの内側から見た斜視図である。
【図４ａ】（ａ）は、蓋開閉装置を本体カバーの内側から見た図である。
【図４ｂ】（ｂ）は、（ａ）の矢視Ａ−Ａ線に沿う断面部分における蓋体の開状態と閉状態を示す図、（ｃ）は、（ａ）の矢視Ｂ−Ｂ線に沿う断面部分における蓋体の開状態と閉状態を示す図である。
【図５】蓋開閉装置の蓋体を本体カバーに組み付ける際の蓋体の軌跡を示す図であり、図４ａ（ａ）の矢視Ｃ−Ｃ線に沿う断面図である。
【図６】蓋開閉装置の蓋体が開状態にある時の外観側から見た図である。
【図７】蓋開閉装置の蓋体が開状態にある時の蓋体と本体カバーを図４ｂ（ｂ）の矢視Ｄ方向から見た図である。
【図８】（ａ）は、従来例に係る電子機器の蓋開閉装置の蓋体の斜視図、（ｂ）は、本体カバーを内側から見た図である。
【図９ａ】（ａ）は、従来例に係る電子機器の蓋開閉装置の蓋体を本体カバーに組み付ける様子を示す斜視図、（ｂ）は、蓋開閉装置の斜視図である。
【図９ｂ】（ｃ）は、図９ａ（ｂ）の矢視イ−イ線に沿う断面図である。
【図１０】図９ａ（ｂ）の矢視ロ−ロ線に沿う断面図である。
【発明を実施するための形態】
【００１７】
以下、本発明の実施の形態を図面を参照しながら詳細に説明する。
【００１８】
まず、本発明の実施の形態に係る電子機器の蓋開閉装置の構成を図１乃至図４を用いて説明する。本実施の形態では電子機器として撮像装置としてのビデオカメラを例にとるが、本発明の蓋開閉装置はビデオカメラへの適用に限定されず他の電子機器やコンパクトデジタルカメラのような撮像装置にも適用可能である。
【００１９】
図１は、本実施の形態に係る電子機器の蓋開閉装置の構成を示す分解斜視図である。
【００２０】
図１において、本実施の形態の電子機器には、本体カバー１（筐体）に対し蓋体２を開閉可能とする蓋開閉装置が設けられている。蓋開閉装置は、本体カバー１と、軸方向の延長線上にカム部２３が付設された軸部２１及び軸方向の延長線上にカム部２４が付設された軸部２２が一体に形成された蓋体２と、軸部２１及び軸部２２の固定部を兼ねた付勢部材３、付勢部材４とを備えている。
【００２１】
蓋体２は、軸２ａを中心に回転（回動）することで本体カバー１に対して開閉可能に構成されている。蓋体２には、軸２ａを中心として軸部２１及び軸部２２が腕部と共に形成されている。蓋体２の軸部２１及び軸部２２は、蓋体２における本体カバー１に対する取付部分の軸方向の両端部にそれぞれ設けられている。
【００２２】
付勢部材３、付勢部材４は、可撓性を有する板金からなる板ばね部材から形成されており、それぞれ軸受け部３ａ、軸受け部４ａを備えると共に、可撓性を有する付勢部３ｂ、付勢部４ｂを備えている。付勢部材３、付勢部材４は、蓋体２の付勢を行うと共に蓋体２の軸受けを兼ねている。
【００２３】
本体カバー１に対する蓋体２の組み付け時には、蓋体２の軸部２１及び軸部２２が本体カバー１に設けられた孔を通されることで外観側から本体カバー１に組み付けられる。蓋体２が本体カバー１に組み付けられた後、付勢部材３及び付勢部材４が本体カバー１の内側から、それぞれ蓋体２の軸部２１及び軸部２２を押さえるようにして組み込まれ、ネジ５及びネジ６により蓋体２が本体カバー１に固定される。
【００２４】
図２（ａ）は、電子機器の蓋開閉装置の蓋体を示す斜視図、図２（ｂ）は、電子機器の本体カバーを内側から見た図である。
【００２５】
図２（ａ）において、蓋体２の軸部２１、軸部２２は、本体カバー１に対して回転可能に構成された軸２ａを中心とした部材であり、蓋体２の長手方向（本体カバー１に対する取付部分）の両端部に設けられている。カム部２３、カム部２４は、それぞれ軸部２１、軸部２２の軸方向の延長線上に設けられており、付勢部材３、付勢部材４と当接して付勢される部材である。
【００２６】
図２（ｂ）において、本体カバー１側の軸受け部１０ａ及び軸受け部１０ｂは、蓋体２の軸部２２、カム部２４の軸受けであり、本体カバー１側の軸受け部１１ａ及び軸受け部１１ｂは、蓋体２の軸部２１、カム部２３の軸受けである。本体カバー１には、孔１２（斜線部）が設けられており、蓋体２の軸部２１及び軸部２２とカム部２３及びカム部２４を外観側から本体カバー１に組み込む際の開口部となる。孔１２は、軸部２１及び軸部２２とカム部２３及びカム部２４の通過が可能な大きさがあればよい。尚、図２（ｂ）では便宜上、孔１２を斜線で示す。
【００２７】
図３は、蓋開閉装置の蓋体を本体カバーに組み付けた後の状態を本体カバーの内側から見た斜視図である。
【００２８】
図３において、蓋体２の軸部２１（図２）は、付勢部材３の軸受け部３ａによって回転可能に保持される。同様に、蓋体２の軸部２２（図２）は、付勢部材４の軸受け部４ａによって回転可能に保持される。蓋体２のカム部２３（図２）は、付勢部材３の付勢部３ｂが当接し、付勢部３ｂが撓むことによって常に付勢された状態にある。同様に、蓋体２のカム部２４（図２）は、付勢部材４の付勢部４ｂが当接し、付勢部４ｂが撓むことによって常に付勢された状態にある。
【００２９】
付勢部材３の軸受け部３ａと付勢部３ｂは、つながった状態に一つの部材から形成（一体化）され、付勢部材４の軸受け部４ａと付勢部４ｂは、つながった状態に一つの部材から形成（一体化）されている。以下のような本体カバー１に対する付勢部材３及び付勢部材４の固定により、安定して蓋体２の軸部２１及び軸部２２を本体カバー１に固定することが可能である。
【００３０】
付勢部材３の軸受け部３ａと付勢部３ｂとをつなぐ範囲の中の任意の箇所、及び、付勢部材４の軸受け部４ａと付勢部４ｂとをつなぐ範囲の中の任意の箇所で、本体カバー１にネジで固定される。そのため、蓋体２の開閉中に付勢部３ｂ、４ｂにかかる力が軸受け部３ａ、４ａに影響することはなく、安定して蓋体２の軸部２１及び軸部２２を本体カバー１に固定することが可能である。
【００３１】
図４ａ（ａ）は、蓋開閉装置を本体カバーの内側から見た図である。図４ｂ（ｂ）は、図４ａ（ａ）の矢視Ａ−Ａ線に沿う断面部分における蓋体の開状態と閉状態を示す図、図４ｂ（ｃ）は、図４ａ（ａ）の矢視Ｂ−Ｂ線に沿う断面部分における蓋体の開状態と閉状態を示す図である。
【００３２】
図４ａ、図４ｂにおいては、蓋開閉装置の右側の軸受け構造に関して説明をするが、蓋開閉装置の左側の軸受け構造に関しても同様の構成であるため説明を省略する。
【００３３】
図４ｂ（ｂ）に示すように、蓋体２の軸部２１は、本体カバー１によって形成される隣接する２つの面１１ａ及び面１１ｂと、それに対向して付勢部材３の軸受け部３ａによって形成される隣接する２つの面とによって常に回転可能な状態で保持されている。蓋体２の軸部２２についても同様である。
【００３４】
ここで、図４ｂ（ｃ）を用いて、蓋体２のカム部２３と付勢部材３の付勢部３ｂによって蓋体２が開閉する動きについて説明する。蓋体２が閉状態にある時（閉位置）は、カム部２３は付勢部材３の付勢部３ｂに当接し、実線矢印Ｅ方向に付勢されている。これにより、蓋体２全体は軸部２１を中心に反時計周り（点線矢印Ｅ方向）に回転しようとする。しかしながら、蓋体２の開閉する側の先端部が本体カバー１に形成された当接面１３に当接するため、蓋体２は付勢された状態で回転を停止する。即ち、蓋体２の閉位置は、本体カバー１の当接面１３（閉位置当接部）により規制される。
【００３５】
この場合、使用者が指掛け部（不図示）に指を入れて蓋体２を開こうとすると、蓋体２には点線矢印Ｅ方向の力が働いているため、使用者は点線矢印Ｅ方向の力以上の力を出して逆方向に蓋体２を開くことになる。蓋体２を開いている最中も、付勢部材３の付勢部３ｂはカム部２３に実線矢印Ｅ方向の付勢力を与え、カム部２３の頂点を乗り越えると、次にカム部２３に実線矢印Ｆ方向の付勢力を掛け始める。
【００３６】
蓋体２が開位置まで達した状態では、蓋体２全体は軸部２１を中心に時計周り（点線矢印Ｆ方向）に回転しようとする。しかしながら、蓋体２の腕部の当接面２６が本体カバー１に設けられた面１１ｂに当接するため、蓋体２は付勢された状態で回転を停止する。即ち、蓋体２の開位置は、本体カバー１の面１１ｂ（開位置当接部）により規制される。
【００３７】
このようにして、蓋体２には、常に付勢部材３の付勢部３ｂにより付勢力が働いている。同様に、蓋体２には、常に付勢部材４の付勢部４ｂにより付勢力が働いている。即ち、付勢部材３、４は、蓋体２を閉じる操作に対しては蓋体２が開位置となるように蓋体２のカム部２３、２４を付勢し、蓋体２を開く操作に対しては蓋体２が閉位置となるように蓋体２のカム部２３、２４を付勢する。
【００３８】
次に、本実施の形態の蓋開閉装置の構成部品の組み立て方について図５及び図６を用いて説明する。
【００３９】
図５は、蓋開閉装置の蓋体を本体カバーに組み付ける際の蓋体の軌跡を示す図であり、図４ａ（ａ）の矢視Ｃ−Ｃ線に沿う断面図である。図６は、蓋開閉装置の蓋体が開状態にある時の外観側から見た図である。
【００４０】
図５、図６において、蓋体２を本体カバー１に組み付ける際には、まず本体カバー１の孔１２（図２（ｂ）、図６参照）に外観側から蓋体２の軸部２１及び軸部２２とカム部２３及びカム部２４（図２（ａ）、図６参照）を挿入する。尚、下記の蓋体２の組み込みに関しては、図２（ａ）における蓋体２の紙面左側（軸部２２、カム部２４）についてのみ説明するが、蓋体２の紙面右側（軸部２１、カム部２３）についても同様である。
【００４１】
本体カバー１の孔１２に挿入された蓋体２の軸部２２とカム部２４（図２（ａ）参照）は、図５に示すように、本体カバー１に形成された隣接する２つの面１１ａ及び面１１ｂに対して下から挿入される。更に、蓋体２の軸部２２とカム部２４は、蓋体２を潜り込ませるようにして２つの面１１ａ及び面１１ｂに当接するまで、図５の矢印で示すように本体カバー１に組み込まれる。蓋体２の軸部２２とカム部２４が本体カバー１の２つの面１１ａ及び面１１ｂに当接した後は、付勢部材４の軸受け部４ａが軸部２２を保持するように蓋体２が本体カバー１に組み込まれる。
【００４２】
図６に示すように、蓋体２と付勢部材３及び付勢部材４が組み付けられた状態では、本体カバー１の孔１２を、付勢部材３の軸受け部３ａと付勢部３ｂ、付勢部材４の軸受け部４ａと付勢部４ｂが覆うような形状になっている。そのため、本体カバー１の外観側から孔１２を通して本体カバー１の内部の回路基板等が見えないようになっている。これにより、蓋体２を開いた状態でも電子機器の筐体の美観を損ねることがなく、デザイン性に優れている。
【００４３】
図７は、蓋開閉装置の蓋体が開状態にある時の蓋体と本体カバーを図４ｂ（ｂ）の矢視Ｄ方向から見た図である。
【００４４】
図７において、電子機器の内部には、カードスロット７を実装した回路基板８が収納されている。本体カバー１は点線で示した部分である。図１０に示した従来例では、蓋体１１０に形成されたカム部１１３の回転軌跡を避けて、周辺の部品を配置しなければならない。これに対し、本実施の形態では、蓋体２の長手方向の左右両側に配置されたカム部２３及びカム部２４と蓋体２の腕部の回転軌跡以外の範囲は、空きスペースとなっている。そのため、蓋体２のカム部２３とカム部２４の間にカードスロット７や回路基板８（部品）を配置することが可能となる。
【００４５】
以上説明したように、本発明の実施形態によれば、本体カバー１、軸部２１及び軸部２２が一体に形成された蓋体２、軸部２１及び軸部２２の固定部を兼ねた付勢部材３及び付勢部材４等から蓋開閉装置を構成している。本体カバー１に対する蓋体２の組み付け時には、蓋体２を本体カバー１の外観側から組み込んで軸部２１及び軸部２２を付勢部材３及び付勢部材４で押さえる。そのため、回転軸脱落防止部材を設ける必要がなく、部品の削減が可能である。
【００４６】
また、上記のように蓋体２を本体カバー１の外観側から組み込む構成のため、蓋体２の軸部２１及び軸部２２を本体カバー１の内側に通すための孔１２を本体カバー１に設けるだけでよい。また、蓋体２の軸部２１及び軸部２２と腕部の回転軌跡以外のスペースを有効活用できるため、省スペースである。更に、本体カバー１の孔１２は、付勢部材３及び付勢部材４によって目隠しすることができるため、孔１２を塞ぐために蓋体を大きくする必要はなく、また見栄えを損なうことはない。
【００４７】
以上から、蓋開閉機構全体を大型化することなく且つ部品を削減すると共に省スペースを実現した蓋開閉装置を提供することが可能となる。
【００４８】
〔他の実施の形態〕
以上、本発明をその好適な実施の形態に基づいて詳述してきたが、本発明は上記実施の形態に限定されるものではない。本発明の要旨を逸脱しない範囲の様々な形態も本発明に含まれるものであり、上記実施の形態の一部を適宜組み合わせてもよい。
上記実施の形態では、蓋体２のカム部２３とカム部２４の間にカードスロット７を配置する構成を例に挙げたが、これに限定されるものではない。蓋体２のカム部２３とカム部２４の間に外部接続端子や各種記録媒体のスロットを配置してもよい。また、蓋体２の軸部２１、軸部２２、カム部２３、カム部２４は、図２（ａ）に示した順に並んでいる必要はなく、適宜変更してもよい。
【符号の説明】
【００４９】
１  本体カバー
２  蓋体
３、４  付勢部材
３ａ、４ａ  軸受け部
３ｂ、４ｂ  付勢部
１２  孔
２１、２２  軸部
２３、２４  カム部
【図１】
2013125171.tif 000003
【図２】
2013125171.tif 000004
【図３】
2013125171.tif 000005
【図４ａ】
2013125171.tif 000006
【図４ｂ】
2013125171.tif 000007
【図５】
2013125171.tif 000008
【図６】
2013125171.tif 000009
【図７】
2013125171.tif 000010
【図８】
2013125171.tif 000011
【図９ａ】
2013125171.tif 000012
【図９ｂ】
2013125171.tif 000013
【図１０】
2013125171.tif 000014